(57)【要約】【課題】リーク孔から噴出する洗浄液が周囲に飛び散らず、しかもリーク孔周辺に付着した汚れの洗浄も容易な内視鏡の処置具挿通チャンネル洗浄用栓体を提供すること。【解決手段】処置具挿入口部７に着脱自在な筒状部２１から延出する連結帯部２６と、天井壁部２４に貫通形成されたリーク孔２５の開口部を外側から覆うために連結帯部２６の他端側に形成された蓋状部２７とを、弾力性のある部材により筒状部２１と一体に形成すると共に、連結帯部２６を弾性変形させて蓋状部２７がリーク孔２５の開口部を外側から覆う状態を固定及び固定解除することができる蓋状部固定手段３０，２３Ｂを設けた。【選択図】      図１
2008029456.tif 000002
【特許請求の範囲】
【請求項１】
内視鏡内に配置された吸引チャンネル兼用の処置具挿通チャンネル内を通水洗浄する際に、上記処置具挿通チャンネルに連通して開口する処置具挿入口部に着脱自在に取り付けられる内視鏡の処置具挿通チャンネル洗浄用栓体であって、
弾性変形させて上記処置具挿入口部に嵌め込み係合される筒状部と、上記筒状部が上記処置具挿入口部に係合した状態のときに上記処置具挿入口に面するように上記筒状部の外端部を塞ぐ状態に形成された天井壁部とが、弾力性のある部材により一体に形成されて、上記天井壁部にリーク孔が貫通形成されたものにおいて、
上記筒状部から延出する連結帯部と、上記リーク孔の開口部を外側から覆うために上記連結帯部の他端側に形成された蓋状部とを、上記弾力性のある部材により上記筒状部と一体に形成すると共に、上記連結帯部を弾性変形させて上記蓋状部が上記リーク孔の開口部を外側から覆う状態を固定及び固定解除することができる蓋状部固定手段を設けたことを特徴とする内視鏡の処置具挿通チャンネル洗浄用栓体。
【請求項２】
上記蓋状部固定手段が、上記筒状部付近と上記蓋状部付近とに各々形成されたリング通し孔にまたがって取り外し可能に通される連結リングである請求項１記載の内視鏡の処置具挿通チャンネル洗浄用栓体。
【請求項３】
上記蓋状部固定手段が、上記蓋状部から上記連結帯部と反対側に延出する延長帯部の先端に上記蓋状部等と一体に形成されて上記処置具挿入口部の基部に係脱可能に係合する環状部である請求項１記載の内視鏡の処置具挿通チャンネル洗浄用栓体。
【発明の詳細な説明】
【技術分野】
【０００１】
この発明は内視鏡の処置具挿通チャンネル洗浄用栓体に関する。
【背景技術】
【０００２】
内視鏡は一回使用する度に洗浄消毒され、その際に、内視鏡内に配置された処置具挿通チャンネル内も通水洗浄される。そのような処置具挿通チャンネルに連通して開口する処置具挿入口部には通常は鉗子栓が取り付けられているが、内視鏡が洗浄消毒される際には、鉗子栓は単体で洗浄消毒するために取り外され、それに代えて弾力性のある部材からなる洗浄用栓体が処置具挿入口部に嵌め込み係合される（例えば、特許文献１）。
【特許文献１】特開平８−３０８７９７
【発明の開示】
【発明が解決しようとする課題】
【０００３】
特許文献１に記載された洗浄用栓体には、処置具挿入口内の圧力が増大した時に洗浄用栓体が処置具挿入口部から外れるのを防止するようリーク孔が形成されていて、洗浄液をリーク孔から外方に噴出させて圧力を逃がすようにしている。
【０００４】
しかし、リーク孔から洗浄液が噴出すると、洗浄液が周囲の広い範囲に飛び散ってしまう恐れがある。そこで、リーク孔から噴出した洗浄液がぶつかる鍔等を設けることが考えられるが、単純にそのように構成すると、今度はリーク孔の出口と鍔等との間の隙間部分に付着した汚れを洗浄するのが困難になってしまう恐れがある。
【０００５】
そこで本発明は、リーク孔から噴出する洗浄液が周囲に飛び散らず、しかもリーク孔周辺に付着した汚れの洗浄も容易な内視鏡の処置具挿通チャンネル洗浄用栓体を提供することを目的とする。
【課題を解決するための手段】
【０００６】
上記の目的を達成するため、本発明の内視鏡の処置具挿通チャンネル洗浄用栓体は、内視鏡内に配置された吸引チャンネル兼用の処置具挿通チャンネル内を通水洗浄する際に、処置具挿通チャンネルに連通して開口する処置具挿入口部に着脱自在に取り付けられる内視鏡の処置具挿通チャンネル洗浄用栓体であって、弾性変形させて処置具挿入口部に嵌め込み係合される筒状部と、筒状部が処置具挿入口部に係合した状態のときに処置具挿入口に面するように筒状部の外端部を塞ぐ状態に形成された天井壁部とが、弾力性のある部材により一体に形成されて、天井壁部にリーク孔が貫通形成されたものにおいて、筒状部から延出する連結帯部と、リーク孔の開口部を外側から覆うために連結帯部の他端側に形成された蓋状部とを、弾力性のある部材により筒状部と一体に形成すると共に、連結帯部を弾性変形させて蓋状部がリーク孔の開口部を外側から覆う状態を固定及び固定解除することができる蓋状部固定手段を設けたものである。
【０００７】
なお、蓋状部固定手段が、筒状部付近と蓋状部付近とに各々形成されたリング通し孔にまたがって取り外し可能に通される連結リングであってもよく、或いは、蓋状部固定手段が、蓋状部から連結帯部と反対側に延出する延長帯部の先端に蓋状部等と一体に形成されて処置具挿入口部の基部に係脱可能に係合する環状部であってもよい。
【発明の効果】
【０００８】
本発明によれば、処置具挿入口部に着脱自在な筒状部から延出する連結帯部と、天井壁部に貫通形成されたリーク孔の開口部を外側から覆うために連結帯部の他端側に形成された蓋状部とを、弾力性のある部材により筒状部と一体に形成すると共に、連結帯部を弾性変形させて蓋状部がリーク孔の開口部を外側から覆う状態を固定及び固定解除することができる蓋状部固定手段を設けたことにより、蓋状部がリーク孔の開口部を外側から覆う状態を固定してリーク孔から噴出する洗浄液が周囲に飛び散らないようにすることができると共に、蓋状部がリーク孔の開口部を外側から覆う状態を解除してリーク孔周辺に付着した汚れを容易に洗浄することができる。
【発明を実施するための最良の形態】
【０００９】
内視鏡内に配置された吸引チャンネル兼用の処置具挿通チャンネル内を通水洗浄する際に、処置具挿通チャンネルに連通して開口する処置具挿入口部に着脱自在に取り付けられる内視鏡の処置具挿通チャンネル洗浄用栓体であって、弾性変形させて処置具挿入口部に嵌め込み係合される筒状部と、筒状部が処置具挿入口部に係合した状態のときに処置具挿入口に面するように筒状部の外端部を塞ぐ状態に形成された天井壁部とが、弾力性のある部材により一体に形成されて、天井壁部にリーク孔が貫通形成されたものにおいて、筒状部から延出する連結帯部と、リーク孔の開口部を外側から覆うために連結帯部の他端側に形成された蓋状部とを、弾力性のある部材により筒状部と一体に形成すると共に、連結帯部を弾性変形させて蓋状部がリーク孔の開口部を外側から覆う状態を固定及び固定解除することができる蓋状部固定手段を設ける。
【実施例】
【００１０】
図面を参照して本発明の実施例を説明する。
図５において、１は内視鏡の操作部であり、その下端部に挿入部２の基端が連結されている。操作部１から後方に延出する連結可撓管３の先端には、図示されていない光源装置に接続されるコネクタ部４が取り付けられている。
【００１１】
挿入部２内には、可撓性チューブからなる処置具挿通チャンネル５が全長にわたって挿通配置されている。処置具挿通チャンネル５は吸引チャンネルを兼用しており、挿入部２の先端に開口形成された吸引口６に連通接続されている。
【００１２】
挿入部２との境界部に近い操作部１の下端部付近には、図示されていない処置具類を処置具挿通チャンネル５内に挿入する際の入口である処置具挿入口金７（処置具挿入口部）が、処置具挿入口８を斜め上方に向けて開口させた状態に突設されている。
【００１３】
また、操作部１の下端付近において、吸引接続管９が処置具挿通チャンネル５から分岐接続されていて、その吸引接続管９の他端側は、操作部１の上半部に配置された吸引操作弁１０に接続されている。
【００１４】
そして、連結可撓管３内に挿通配置された吸引チューブ１１の一端が操作部１内で吸引操作弁１０に接続され、他端側は、図示されていない外部吸引装置と接続するためにコネクタ部４に配置された吸引口金１２に接続されている。
【００１５】
処置具挿入口金７には、通常はいわゆる鉗子栓（図示せず）が取り付けられているが、内視鏡使用後の洗浄消毒時には、処置具挿入口金７から鉗子栓が取り外され、それに代えて、処置具挿入口８を塞ぐための洗浄用栓体２０が処置具挿入口金７に取り付けられる。
【００１６】
そして、例えば図示されていない洗浄液注入器等を吸引口金１２に接続して吸引口金１２から吸引チューブ１１に洗浄液を注入することにより、吸引チューブ１１、吸引接続管９及び処置具挿通チャンネル５内の全経路を通水洗浄することができる。
【００１７】
図１は、処置具挿入口金７に本発明の第１の実施例の洗浄用栓体２０が取り付けられた状態の側面断面図、図２と図３は連結リング３０が外された状態の洗浄用栓体２０単体の側面断面図と平面図であり、洗浄用栓体２０は、連結リング３０（蓋状部固定手段）を除く全ての部分が、ゴム材等のような弾力性のある部材によって一体に形成されている。
【００１８】
処置具挿入口金７を囲む状態になる略円筒状の筒状部２１の内面部には、弾性変形させることで、処置具挿入口金７に形成された円周溝７ａに着脱自在に嵌め込み係合される係合突起部２３が内方に向けて突出形成されている。
【００１９】
係合突起部２３は、図１に示されるように処置具挿入口金７の円周溝７ａに係合した状態では、処置具挿入口金７の円周溝７ａの外周面を弾力的に締め付けてシールした状態になり、それによって洗浄用栓体２０が処置具挿入口金７に固定された状態になる。なお、図１には係合突起部２３が弾性変形していない状態の形状が図示されている。
【００２０】
筒状部２１の上端部は、洗浄用栓体２０が処置具挿入口金７に取り付けられた状態の時に処置具挿入口８に面する天井壁部２４になっていて、その中央位置にリーク孔２５が天井壁部２４の内外を連通させる状態に処置具挿入口８の軸線方向に真っ直ぐに貫通形成されている。リーク孔２５は、処置具挿入口８内の圧力が増大した時に洗浄液等を外方に噴出させて圧力を逃がす作用をする。
【００２１】
また、筒状部２１の外面から側方に延出する連結帯部２６の先端に形成された蓋状部２７が、連結帯部２６を中間部分で折り返された状態に弾性変形させることにより、天井壁部２４との間に若干の隙間をあけてリーク孔２５の外面を覆う状態になる。
【００２２】
そして、筒状部２１の外面から連結帯部２６と逆方向に小さく突出する舌状部２１Ａと蓋状部２７側とに形成された二つのリング通し孔２８，２９にまたがって金属製の連結リング３０を通すことにより、蓋状部２７がリーク孔２５の開口部を覆う状態を図１に示されるように固定することができる。
【００２３】
連結リング３０はバネ性のある金属材等により略Ｃ字状に形成されていて、弾性変形させることにより通し孔２８，２９に係脱させることができ、図４に示されるように、洗浄消毒時に吸引操作弁１０とその隣の送気送水操作弁部分に取り付けられる着脱蓋４０を鎖４１等で連結するのに連結リング３０を利用してもよい。
【００２４】
内視鏡の洗浄消毒時に吸引口金１２から洗浄液が注入されると、洗浄液の一部は処置具挿入口８内の圧力を上昇させてリーク孔２５から噴出する。しかし、リーク孔２５の開口が外側から蓋状部２７で覆われているので、リーク孔２５から噴出した洗浄液は蓋状部２７にぶつかって勢いが弱まり、側方に流れ落ちて周辺に飛び散らない。なお、蓋状部２７がリーク孔２５とある程度隙間をあけて配置されているので、蓋状部２７が洗浄液の噴出速度を速めるような作用は生じない。
【００２５】
そして、処置具挿通チャンネル５内の通水洗浄が終わって、洗浄用栓体２０を処置具挿入口金７から取り外したら、連結リング３０を弾性変形させて通し孔２８，２９から抜き出し、図２及び図３等に示されるように洗浄用栓体２０を展開した状態にすることにより、洗浄用栓体２０自体もよく洗浄して、蓋状部２７の周辺や蓋状部２７等に付着した汚れも容易かつ確実に洗い流すことができる。
【００２６】
図６は、処置具挿入口金７に本発明の第２の実施例の洗浄用栓体２０が取り付けられた状態の側面断面図、図７と図８は連結リング３０が外された状態の洗浄用栓体２０単体の側面断面図と平面図である。
【００２７】
この実施例では、蓋状部２７がリーク孔２５の開口部を外側から覆う状態を固定及び固定解除することができる蓋状部固定手段として、第１の実施例の連結リング３０に代えて、蓋状部２７から連結帯部２６と反対側に延出する延長帯部２６Ｂの先端に、処置具挿入口金７の基部の円周溝７ｂに係脱可能に係合する円環状の環状部２３Ｂが、弾力性のある部材により蓋状部２７等と一体成形して設けられている。
【００２８】
その他の構成は前述の第１の実施例と同様であり、この実施例の場合には、環状部２３Ｂが処置具挿入口金７の基部の円周溝７ｂに係止されることにより蓋状部２７がリーク孔２５の開口部を外側から覆う状態に固定される。
【００２９】
そして、図９に示されるように、筒状部２１を処置具挿入口金７から外しても、洗浄用栓体２０が環状部２３Ｂによって処置具挿入口金７に連結された状態になり、洗浄用栓体２０を紛失する恐れがない。
【図面の簡単な説明】
【００３０】
【図１】本発明の第１の実施例の内視鏡の処置具挿通チャンネル洗浄用栓体が処置具挿入口金に取り付けられた状態の側面断面図である。
【図２】本発明の第１の実施例の内視鏡の処置具挿通チャンネル洗浄用栓体の単体の側面断面図である。
【図３】本発明の第１の実施例の内視鏡の処置具挿通チャンネル洗浄用栓体の単体の平面図である。
【図４】本発明の第１の実施例の内視鏡の処置具挿通チャンネル洗浄用栓体が着脱蓋と鎖で連結された状態の斜視図である。
【図５】本発明の実施例の内視鏡の配管図である。
【図６】本発明の第２の実施例の内視鏡の処置具挿通チャンネル洗浄用栓体が処置具挿入口金に取り付けられた状態の側面断面図である。
【図７】本発明の第２の実施例の内視鏡の処置具挿通チャンネル洗浄用栓体の単体の側面断面図である。
【図８】本発明の第２の実施例の内視鏡の処置具挿通チャンネル洗浄用栓体の単体の平面図である。
【図９】本発明の第２の実施例の内視鏡の処置具挿通チャンネル洗浄用栓体が処置具挿入口金から部分的に取り外された状態の側面断面図である。
【符号の説明】
【００３１】
５  処置具挿通チャンネル
７  処置具挿入口金（処置具挿入口部）
８  処置具挿入口
２０  洗浄用栓体
２１  筒状部
２３Ｂ  環状部（蓋状部固定手段）
２４  天井壁部
２５  リーク孔
２６  連結帯部
２６Ｂ  延長帯部
２７  蓋状部
３０  連結リング（蓋状部固定手段）
【図１】
2008029456.tif 000003
【図２】
2008029456.tif 000004
【図３】
2008029456.tif 000005
【図４】
2008029456.tif 000006
【図５】
2008029456.tif 000007
【図６】
2008029456.tif 000008
【図７】
2008029456.tif 000009
【図８】
2008029456.tif 000010
【図９】
2008029456.tif 000011